(57)【特許請求の範囲】
【請求項１】
その長手方向位置にセンサ部を有して壁、天井等の取付面に設けられる長尺状の器具本体と、断面略コ字状をなし、その前面側の小開口から前記センサ部を突出させて前記器具本体を覆う透光カバー部とを備えた照明器具であって、
前記器具本体と透光カバー部とを、その一方を、長手方向の軸中心に回転させたとき、あるいは前後方向に平行移動させたときの何れかにおいて両者を離脱可能とさせる係合構造を設けて形成したことを特徴とする照明器具。
【請求項２】
前記係合構造を、前記器具本体及び／又は透光カバー部の長手方向の縁部に、その一方を長手方向の軸中心に回転させたときに両者が離脱せず、前後方向に平行移動させたときには両者を離脱可能とさせる構成とした請求項１記載の照明器具。
【請求項３】
前記係合構造を、前記器具本体及び／又は透光カバー部の長手方向の縁部に、その一方を前後方向に平行移動させたときに両者が離脱せず、長手方向の軸中心に回転させたときには両者を離脱可能とさせる構成とした請求項１記載の照明器具。
【請求項４】
その長手方向位置にセンサ部を有して壁、天井等の取付面に設けられる長尺状の器具本体と、断面略コ字状をなし、その前面側の小開口から前記センサ部を突出させて前記器具本体を覆う透光カバー部とを備えた照明器具であって、
前記透光カバー部を前記器具本体へ装着する時に、前記小開口へ前記センサ部を挿通させてその小開口位置及び／又はセンサ部が光源の短手方向に向け変位自在としたことを特徴とする照明器具。
【請求項５】
前記透光カバー部は、前記小開口を形成させたカバー片を有し、同カバー片を変位可能とさせた請求項４記載の照明器具。
【請求項６】
前記カバー片を、その一端部が前記透光カバー部に固着され、且つその小開口に前記センサ部が挿通させて弾性変位するものとした請求項５記載の照明器具。
【請求項７】
前記センサ部を、前記器具本体へ着脱自在で、且つねじ等の固定具を介して所定位置に固定可能とし、前記透光カバー部を同器具本体へ装着した後に該センサ部を固定させる請求項４記載の照明器具。
【発明の詳細な説明】
【０００１】
【発明の属する技術分野】
本発明は、照明器具に関するものである。
【０００２】
【従来の技術】
従来から、図２２、２３に示す如く、例えばウオールライトと呼ばれる、直管型光源となる蛍光灯１０３を有して壁、天井等の取付面に設けられる長尺状の器具本体１０１と、断面略コ字状をなして前記器具本体を覆う透光カバー部１０４とを備えた照明器具１００がある。この場合、透光カバー部１０４は、長手方向両端部の鋼板製で略四角状の側板の４隅に、長尺状のアルミニウム材による枠材１０５が跨設され、半透明樹脂板による透光板１０６をその枠材１０５間に設けて、断面略コ字状をなした一面開口の箱状に形成されている。そして、この透光カバー部１０４が特に重量物である場合、図２３（ａ）に示すように、器具本体１０１の上部に設けられた２箇所の爪部１０２，１０２に仮係止させ、側板に穿設された取付孔を介して器具本体１０１へねじ固定されるようになっている。
【０００３】
ところで、最近、省エネルギに対する関心の高まりに呼応して、例えば人体を検知して光源を点灯させるセンサ付照明器具が普及してきている。このようなセンサ付照明器具は、従来、明るさセンサを用いて、例えば天井などに設けられている複数の照明器具をグループ制御するものと比較して、照明器具毎に個別に点滅あるいは調光の制御を行うことができる点、よりきめの細かい制御が可能で、省エネルギの効果の向上とともに使い勝手も良い
【０００４】
【発明が解決しようとする課題】
しかしながら、上記従来の技術においては、器具本体１０１に設けられる蛍光灯１０３の長手方向位置にセンサ部を配設し、コ字状の透光カバー部１０４の前面側に小開口を設けて、その小開口からそのセンサ部を突出させて器具本体１０１を透光カバー部にて覆うようにしてセンサ付ウオールライトを構成した場合、図２３（ｂ）に示す如く、透光カバー部１０４を、その小開口に前記センサ部を挿入させ、器具本体の上部２箇所の爪部１０２に仮係止させて装着し難くなる。すなわち、センサ部の突出部分が透光カバー部１０４を器具本体１０１へ被着させる妨げとなる。
【０００５】
したがって、小開口とセンサ部との隙間を大きくしたり、あるいは、爪部１０２を、出代を小さくさせて器具本体１０１に設けたりする必要があった。そのため、外観上、上記隙間は体裁が悪く、また、爪部１０２を小さくしたものは、透光カバー部１０４が重量物の場合、取り付け工事の際に、器具本体１０１から透光カバー部１０４が外れやすいために、センサ部を、透光カバー部１０４前面側の長手方向位置の小開口から突出させて取付のし辛いという問題があった。
【０００６】
本発明は、上記事由に鑑みてなしたもので、その目的とするところは、外観の体裁を損ねることなく、透光カバー部を前面の小開口からセンサ部を突出させて器具本体へ装着させやすい照明器具を提供することにある。
【０００７】
【課題を解決するための手段】
上記目的を達成するために、本発明の照明器具にあっては、その長手方向位置にセンサ部を有して壁、天井等の取付面に設けられる長尺状の器具本体と、断面略コ字状をなし、その前面側の小開口から前記センサ部を突出させて前記器具本体を覆う透光カバー部とを備えた照明器具であって、前記器具本体と透光カバー部とを、その一方を、長手方向の軸中心に回転させたとき、あるいは前後方向に平行移動させたときの何れかにおいて両者を離脱可能とさせる係合構造を設けて形成したことを特徴としている。
【０００８】
この構成にて、壁、天井等の取付面に設けられるその長手方向位置にセンサ部を有した長尺状の器具本体、及びその前面側の小開口から前記センサ部を突出させてその器具本体を覆う断面略コ字状をなした透光カバー部の両者が、係合構造にて、その一方を、長手方向の軸中心に回転させたとき、あるいは前後方向に平行移動させたときの何れかにおいて両者を離脱可能とされる。
【０００９】
具体的には、係合構造を、前記器具本体及び／又は透光カバー部の長手方向の縁部に、その一方を長手方向の軸中心に回転させたときに両者が離脱せず、前後方向に平行移動させたときには両者を離脱可能とさせる構成とすることが好ましい。この構成にて、長尺状器具本体、及びその器具本体を覆う断面略コ字状をなした透光カバー部の両者が、長手方向の縁部に形成された係合構造にて、その一方を長手方向の軸中心に回転させたときには離脱せず、前後方向に平行移動させたときには両者を離脱可能とされる。
【００１０】
また、上記係合構造を、前記器具本体及び／又は透光カバー部の長手方向の縁部に、その一方を前後方向に平行移動させたときに両者が離脱せず、長手方向の軸中心に回転させたときには両者を離脱可能とさせる構成とするのも好ましい。この場合、長尺状器具本体、及びその器具本体を覆う断面略コ字状をなした透光カバー部の両者が、長手方向の縁部に形成された係合構造にて、その一方を前後方向に平行移動させたときには離脱せず、長手方向の軸中心に回転させたときには両者を離脱可能とされる。
【００１１】
また、前記透光カバー部を前記器具本体へ装着する時に、前記小開口へ前記センサ部を挿通させてその小開口位置及び／又はセンサ部が光源の短手方向に向け変位自在とするのも好ましい。この場合、壁、天井等の取付面に設けられるその長手方向位置にセンサ部を有した長尺状の器具本体、及びその器具本体を覆う断面略コ字状をなした透光カバー部の両者は、透光カバー部が、それに設けられた小開口へセンサ部が挿通され、その小開口位置及び／又はセンサ部を光源の短手方向に向け変位させて器具本体へ装着された後に固定される。
【００１２】
そして、上記透光カバー部は、前記小開口を形成させたカバー片を有し、同カバー片を変位可能とさせるのが好ましい。この場合、壁、天井等の取付面に設けられるその長手方向位置にセンサ部を有した長尺状の器具本体、及びその器具本体を覆う断面略コ字状をなした透光カバー部の両者は、透光カバー部が、それに配設されたカバー片の小開口へセンサ部が挿通され、同カバー片を変位させて器具本体へ装着された後に固定される。
【００１３】
また、前記透光カバー部を前記器具本体へ装着する時に、前記小開口へ前記センサ部を挿通させてその小開口位置及び／又はセンサ部が光源の短手方向に向け変位自在とするのも好ましい。この場合、壁、天井等の取付面に設けられるその長手方向位置にセンサ部を有した長尺状の器具本体、及びその器具本体を覆う断面略コ字状をなした透光カバー部の両者は、透光カバー部が、それに設けられた小開口へセンサ部が挿通され、小開口位置及び／又はセンサ部が光源の短手方向に向け変位させて器具本体へ装着された後に固定される。
【００１４】
また、上記小開口を形成させたカバー片を前記透光カバー部に配設し、そのカバー片を変位可能とするのが好ましい。この場合、透光カバー部は、カバー片の小開口へセンサ部が挿通されてカバー片が変位され、器具本体へ装着される。
【００１５】
また、上記カバー片を、その一端部が前記透光カバー部に固着され、且つその小開口に前記センサ部が挿通させて弾性変位するのが好ましい。この場合、透光カバー部は、カバー片の小開口へセンサ部が挿通されてカバー片が弾性変位され、器具本体へ装着される。
【００１６】
また、上記センサ部を、前記器具本体へ着脱自在で、且つねじ等の固定具を介して所定位置に固定可能とし、前記透光カバー部を同器具本体へ装着した後に該センサ部を固定させるのも好まし。この場合、壁、天井等の取付面に設けられるその長手方向位置にセンサ部を有した長尺状の器具本体、及びその器具本体を覆う断面略コ字状をなした透光カバー部の両者は、透光カバー部が同器具本体へ装着された後、センサ部がねじ等の固定具を介して器具本体の所定位置に装着され固定される。
【００１８】
【発明の実施の形態】
図１乃至図７は、本発明の、請求項１、２に対応する第１の実施の形態を示し、図８乃至１３は、請求項３に対応する第２の実施の形態を示し、図１４乃至１９は、請求項４乃至６に対応する第３の実施の形態を示し、図２０は、請求項７に対応する第４の実施の形態を示し、図２１は、請求項８に対応する第５の実施の形態を示している。
【００１９】
［第１の実施の形態］
図１は、本発明の、第１の実施形態の、照明器具の概略構成を示す側面断面図、図２は、同照明器具の概略構成を示す分解斜視図、図３は、同照明器具の係合構造を示す部分図、図４は、同照明器具の係合構造の作用を示す説明図、図５は、同照明器具の他実施例を示す説明図、図６は、同照明器具の係合構造を示す部分斜視図、図７は、同照明器具の更なる他実施例の概略構成を示す側面断面図である。
【００２０】
この実施の形態の照明器具は、直管型蛍光灯６（光源）の長手方向位置にセンサ部５を有して壁、天井等の取付面に設けられる長尺状の器具本体２と、断面略コ字状をなし、その前面側の小開口７１ａから前記センサ部５を突出させて前記器具本体２を覆う透光カバー部７とを備えた照明器具であって、前記器具本体２と透光カバー部７とを、その一方を、長手方向の軸中心に回転させたとき、あるいは前後方向に平行移動させたときの何れかにおいて両者を離脱可能とさせる係合構造Ａを設けて形成している。具体的には、この係合構造Ａは、前記器具本体２及び透光カバー部７の長手方向の縁部に、その一方を長手方向の軸中心に回転させたときに両者が離脱せず、前後方向に平行移動させたときには両者を離脱可能とさせる構成としている。
【００２１】
詳しくは、この照明器具１は、従来の技術にて説明したものと同様の、主に壁面に設置される、直管型光源となる蛍光灯６を備えたウオールライトと呼ばれている横長長尺状のセンサ付照明器具であって、蛍光灯６の設けられる器具本体２と、透光カバー部７とを備えている。
【００２２】
器具本体２は、この場合、鋼板を折曲し形成された器体３１の表面に、安定器あるいは高周波点灯回路等により形成される点灯装置４、センサ部５、及び外部電線となる壁面側から配線孔を介して引き込まれる屋内配線との配線接続をおこなう端子台（図示せず）が設けられ、この端子台及び点灯装置４の前側に、光源による光の反射板を兼ねた器体カバー３５が設けられて形成される。なお、この器体カバー３５の両端には、器体３１側から突設された、上記点灯装置４と内部電線にて接続されている、蛍光灯６両端のソケットピン（図示せず）と係合し蛍光灯６を保持させるソケット３３を露出させる切欠が形成されている。
【００２３】
器体３１の上縁には、器体３１の長手方向の所定長さにわたって、図１に示すように、器体３１上部を前方、斜め下方へ折曲し形成された、係合構造Ａの器具本体２側を構成する係合受片３２が設けられている。この係合受片３２は、図３に示すように、それと対向位置となる、後述する透光カバー部７を被着させる際の位置決め用の位置決め片３４との間隔が所定の幅Ｂとなるように形成されている。なお、器体３１の両側それぞれには、図２に示すように、後述するセンサ部５を設けるための基台３６、３６が設けられ、また、この器体３１と上記器体カバー３５とは、両端部に設けられる化粧ネジ３７を用いて基台３６側面のねじ孔３６ａにねじ固定されるようになっている。
【００２４】
センサ部５は、人を感知し上記点灯装置４を制御して蛍光灯６を点灯させるもので、この場合、上記器体３１の両端それぞれに設けられている基台３６を介して器具本体２に装着され配設されている。このセンサ部５は、例えば人体熱を感知する熱線センサにて形成され、この場合、前面に、略半円状に湾曲された、照明器具１の上下方向にわたり所定幅をもって略扇状且つ略カーテン状に複数の検知領域を形成するマルチレンズを有し、このレンズ部分が後述する透光カバー部７から突出されるようになっている。なお、このセンサ部５のレンズ部分は、調節手段５１を介し、照明器具１に対する上下方向にわたって上記検知領域を変位可能としてある。したがって、照明器具１を、例えば小動物がその前面を通過することにおいても、不用意に蛍光灯６が点灯しないようにさせて使用することができる。
【００２５】
透光カバー部７は、図１、２に示すように、両側の鋼板製で後方及び内側方の開口した箱状のセンサ収容部７１の４隅に長尺状の枠材７２、７４が跨設され、その各枠材間に、アクリル樹脂等の半透明樹脂板による透光板７５を前側、及び上下の３面に設けて、断面略コ字状をなした一面開口の箱状に形成されている。この場合、センサ収容部７１には、上記センサ部５のレンズ部分を突出させる小開口７１ａが設けられおり、透光カバー部７をネジ等の固定具８を用いて、センサ収容部７１の側方に設けられた固定孔７１ｂを介して上記器体３１に設けられているねじ孔３６ａに固定させる固定部を兼ねている。
【００２６】
枠材７２、７４は、アルミニウム材による押出成形体で、この場合、上後方に設けられる枠材７２には、係合構造Ａの透光カバー部７を構成する係合片７３が、枠材７２の長手方向略全長にわたって設けられている。この係合片７３は、透光カバー部７側の長手方向の縁部に係合構造Ａを形成するもので、図３に示すようにその先端部が折曲されており、前述の位置決め片３４上に載置されて透光カバー部７を器具本体２へ装着する際に位置決めし、さらにそれと対向位置となる、係合受片３２先端と位置決め片３４との間隔である上記所定の幅Ｂより僅かに小さい高さ寸法Ｃとなるように形成されている。
【００２７】
上記の係合受片３２は、従来の技術の項にて説明した爪部に相当する透光カバー部７が意図と反して器具本体２から離脱するのを防ぐような作用をする。すなわち、図４（ａ）に示すように、上記の照明器具１においては、壁の取付面に設けられるその長手方向位置にセンサ部５を有した長尺状の器具本体２、及びその前面側の小開口７１ａから前記センサ部５を突出させてその器具本体２を覆う断面略コ字状をなした透光カバー部７の両者が、長手方向の縁部に形成された係合構造Ａにて、その一方、すなわち、透光カバー部７を長手方向の軸中心に回転させたときには係合受片３２に係合片７３が当たり離脱することが無く、また、図４（ｂ）に示すように、透光カバー部７を前後方向に平行移動させたときには両者を離脱可能となる。
【００２８】
このように、透光カバー部７を意図的に外そうとしたときに外すことができ、反対に、意図に反して透光カバー部７は外れようとしたときには、透光カバー部７が回転して変位するので係合構造Ａの係合状態がとなって落下することが無い。すなわち、透光カバー部７を外すための前後方向の平行移動は一般的な操作であり、蛍光灯６の取り替え等をおこなう作業者が、判りにくいと感じることが無く、これにより、小開口７１ａとセンサ部５との隙間を最小限まで小さくして、外観の体裁を損ねることなく構成できるのである。
【００２９】
したがって、以上説明した照明器具１によると、壁の取付面に設けられるその長手方向位置にセンサ部５を有した長尺状の器具本体２、及びその前面側の小開口７１ａから前記センサ部５を突出させてその器具本体２を覆う断面略コ字状をなした透光カバー部７の両者が、長手方向の縁部に形成された係合構造Ａにて、その一方を長手方向の軸中心に回転させたときには離脱せず、前後方向に平行移動させたときには両者を離脱可能とされるので、外観の体裁を損ねることなく、透光カバー部７を前面の小開口７１ａからセンサ部５を突出させて器具本体２へ装着させやすくできる。
【００３０】
そして、長尺状器具本体２、及びその器具本体２を覆う断面略コ字状をなした透光カバー部７の両者が、長手方向の縁部に形成された係合構造Ａにて、その一方を長手方向の軸中心に回転させたときには離脱せず、前後方向に平行移動させたときには両者を離脱可能とされるので、蛍光灯６の取り替え等をおこなう作業者が、判りにくいと感じること無く、小開口７１ａとセンサ部５との隙間を最小限まで小さくして外観の体裁を損ねることなく構成できる。
【００３１】
なお、本発明は、上記に示されたもの以外に、例えば図５、６に示した構成のように、透光カバー部７の後部開口を構成する枠材を同じ形状をもった枠材７４、７４とし、それを、その一方を長手方向の軸中心に回転させたときに両者が離脱せず、前後方向に平行移動させたときには両者を離脱可能とさせる係合構造Ａの一方とし、器具本体２側の係合構造Ａを、例えば、器体３１両側それぞれに設けられているセンサ部５を設けるための基台３６の上下に、所定の出代寸法をもって突出させた突出片３６ｂとする構成、あるいは、図７に示すようにセンサ部５を、そのレンズ部分の基端上部を水平する等、各種構成によって実現することができる。
【００３２】
このように構成された照明器具１においても、例えば図５（ａ）に示すように、壁の取付面に設けられるその長手方向位置にセンサ部５を有した長尺状の器具本体２、及びその前面側の小開口７１ａから前記センサ部５を突出させてその器具本体２を覆う断面略コ字状をなした透光カバー部７の両者が、係合構造Ａにて、その一方すなわち、透光カバー部７を長手方向の軸中心に回転させたときには突出片３６ｂに枠材７４が当たり離脱することが無く、また、図５（ｂ）に示すように、透光カバー部７を前後方向に平行移動させたときには両者を離脱可能とされる。
【００３３】
［第２の実施の形態］
図８は、第２の実施形態の、照明器具の概略構成を示す側面断面図、図９は、同照明器具の係合構造を示す部分図、図１０は、同照明器具の係合構造の作用を示す説明図、図１１は、同照明器具の他実施例を示す説明図、図１２は、同照明器具の係合構造を示す部分斜視図、図１３は、同照明器具の更なる他実施例の概略構成を示す側面断面図である。
【００３４】
この実施の形態の照明器具は、器具本体と透光カバー部との係合構造の構成のみが第１の実施の形態と異なるもので、他の構成部材は第１の実施形態のものと同一で、該実施の形態の照明器具１は、前記係合構造を、前記器具本体２及び透光カバー部７の長手方向の縁部に、その一方を前後方向に平行移動させたときに両者が離脱せず、長手方向の軸中心に回転させたときには両者を離脱可能とさせる構成の係合構造Ｄとしている
【００３５】
このものの器具本体２は、鋼板を折曲し形成された器体３１の上縁には、器体３１の長手方向の所定長さにわたって、図８に示すように、器体３１上部を前方、下方へ折曲し形成された、係合構造Ｄの器具本体２側を構成する係合受片３８が設けられている。すなわちこの係合受片３８は、図９に示すように、それと対向位置となる、後述する透光カバー部７を被着させる際の位置決め用の位置決め片３４との間隔が狭くなるようにしている。
【００３６】
また、このものの透光カバー部７は、図８に示すように、上記センサ収容部７１の４隅に跨設される長尺状の枠材のうち、上後方に設けられる枠材７６には、係合構造Ｄの透光カバー部７を構成する係合片７７が、枠材７６の長手方向略全長にわたって設けられている。この係合片７７は、透光カバー部７側の長手方向の縁部に係合構造Ｄを形成するもので、図９に示すように、その先端部が上方へ折曲されており、前述の位置決め片３４上に載置されて透光カバー部７を器具本体２へ装着する際に位置決めし、さらにそれと対向位置となる係合受片３８先端と位置決め片３４の間隔より僅かに小さい高さとなるように形成されている。
【００３７】
すなわち、上記の係合受片３２は、従来の技術の項にて説明した爪部に相当する透光カバー部７が意図と反して器具本体２から離脱するのを防ぐような作用をし、上記の照明器具１においては、壁の取付面に設けられるその長手方向位置にセンサ部５を有した長尺状の器具本体２、及びその前面側の小開口７１ａから前記センサ部５を突出させてその器具本体２を覆う断面略コ字状をなした透光カバー部７の両者が、長手方向の縁部に形成された係合構造Ｄにて、その一方を前後方向に平行移動させたときには離脱せず、図１０に示すように、長手方向の軸中心に回転させたときには両者を離脱可能となるのである。このように、透光カバー部７を外すための前後方向の平行移動と回転操作の組み合わせは一般的な操作であり、蛍光灯６の取り替え等をおこなう作業者が、判りにくいと感じることが無い。
【００３８】
したがって、以上説明した照明器具１によると、長尺状器具本体２、及びその器具本体２を覆う断面略コ字状をなした透光カバー部７の両者が、長手方向の縁部に形成された係合構造Ｄにて、その一方を前後方向に平行移動させたときには離脱せず、長手方向の軸中心に回転させたときには両者を離脱可能とされるので、外観の体裁を損ねることなく、透光カバー部７を前面の小開口７１ａからセンサ部５を突出させて器具本体２へ装着させやすくでき、しかも、蛍光灯６の取り替え等をおこなう作業者が、判りにくいと感じることも無い。
【００３９】
なお、本発明は、上記に示されたもの以外に、例えば図１１、１２に示した構成のように、透光カバー部７の後部開口を構成する枠材のうち上後方に設けられるものを、前側に溝７８ａをもった枠材７８とし、同枠材７８を、その一方を長手方向の軸中心に回転させたときに両者が離脱せず、前後方向に平行移動させたときには両者を離脱可能とさせる係合構造Ｄの一方とし、器具本体２側の係合構造Ｄを、例えば、器体３１両側それぞれに設けられているセンサ部５を設けるための基台３６の上側に、所定の出代寸法をもって上方、後方へ突出させた突出片３６ｃとする構成、あるいは図１３に示すようにセンサ部５を、そのレンズ部分の基端から前方へ向けて上側斜めに突出させる等、各種構成によって実現することができる。
【００４０】
このように構成された照明器具１においても、例えば図１１（ａ）に示すように、壁の取付面に設けられるその長手方向位置にセンサ部５を有した長尺状の器具本体２、及びその前面側の小開口７１ａから前記センサ部５を突出させてその器具本体２を覆う断面略コ字状をなした透光カバー部７の両者が、係合構造Ｄにて、その一方、すなわち、透光カバー部７を長手方向の軸中心に回転させたときには突出片３６ｃに枠材７８が当たり離脱することが無く、また、図１１（ｂ）に示すように、透光カバー部７を前後方向に平行移動させたときには、その後に透光カバー部７を長手方向の軸中心に上向きに回転させ両者を離脱可能となる。
【００４１】
［第３の実施の形態］
図１４は、第３の実施形態の、照明器具の概略構成を示す分解斜視図、図１５は、同照明器具の係合構造の作用を示す説明図、図１６、１７は、同照明器具の他実施例を示す説明図、図１８は、同照明器具の更なる他実施例を示す部分斜視図、図１９は、同照明器具の作用を示す側面断面図である。
【００４２】
この実施の形態の照明器具は、センサ部を設けるための基台の構成のみが第１の実施の形態と異なるもので、他の構成部材は第１の実施形態のものと同一で、該実施の形態の照明器具１は、前記透光カバー部７を前記器具本体２へ装着する時に、前記小開口７１ａへ前記センサ部５を挿通させてそのセンサ部５が光源の短手方向に向け変位自在としている。
【００４３】
このものの器具本体２は、器体３１の両側それぞれに配設されているセンサ部５を設けるための基台３６が、後方に固定片３６ｅの折曲形成された前板３６ｄとこの前板３６ｄを上端から弾性支持する弾性片３６ｆとを有して、その基台３６側面のねじ孔３６ａに透光カバー部７がねじ固定されるようになっている。したがって、センサ部５は、上記器体３１の両端それぞれに設けられている基台３６を介して器具本体２に装着され配設されるが、蛍光灯６の短手方向に向け変位自在であって、上記固定片３６ｅが固定具８を介して、透光カバー部７とともに基台３６側面のねじ孔３６ａにねじ固定され、所定の位置に固定される。このねじ等の固定具８を介して透光カバー部７を固定する方法は一般的であり、センサ部５が透光カバー部７の固定時に所定の位置にねじ固定されるので、施工時の工数の増加も無い。
【００４４】
したがって、以上説明した照明器具によると、壁、天井等の取付面に設けられるその長手方向位置にセンサ部５を有した長尺状の器具本体２、及びその器具本体２を覆う断面略コ字状をなした透光カバー部７の両者は、透光カバー部７が、それに設けられた小開口７１ａへセンサ部５が挿通され、センサ部５が光源の短手方向に向け変位させて器具本体２へ装着された後に固定されるので、外観の体裁を損ねることなく、透光カバー部７を前面の小開口７１ａからセンサ部５を突出させて器具本体２へ装着させやすくできる。
【００４５】
なお、本発明は、上記に示されたもの以外に、例えば図１６、１７に示した構成のように、透光カバー部７の両側のセンサ収容部７１前面に、小開口７１ａを形成させたカバー片７Ａを配設し、図１７（ａ），（ｂ）に示すようにそのカバー片７Ａを変位可能とさせても良い。この場合、器具本体２、及びその器具本体２を覆う透光カバー部７の両者は、透光カバー部７が、それに配設されたカバー片７Ａの小開口７１ａへセンサ部５が挿通され、同カバー片７Ａを変位させて器具本体２へ装着された後に固定されるので、固定具等を設けることなくより簡単な構成にて形成可能である。
【００４６】
また、図１８、１９に示した構成のように、透光カバー部７の両側のセンサ収容部７１前面に、小カバー片７Ｂ，７Ｃを上下に設けてそれぞれ小開口７１ａを形成させ、その一方の小カバー片７Ｃを弾性屈曲させ変位可能とさせる（図１９（ｂ）参照）等、各種構成によって実現することができる。すなわち、上記のものにおいては、透光カバー部７は、カバー片７Ａの小開口７１ａへセンサ部５が挿通されてカバー片７Ａが、弾性変位され、器具本体２へ装着されるので、固定具等を設けることなく、より簡単な構成にて形成可能である。
【００４７】
［第４の実施の形態］
図２０は、第４の実施形態の、照明器具の概略構成を示す分解斜視図である。
【００４８】
この実施の形態の照明器具は、センサ部を設ける構成のみが第１の実施の形態と異なるもので、他の構成部材は第１の実施形態のものと同一で、該実施の形態の照明器具１は、前記センサ部５を、前記器具本体２へ着脱自在で、且つねじ等の固定具８を介して所定位置に固定可能とし、前記透光カバー部７を同器具本体２へ装着した後に該センサ部５を固定させるようにしている。
【００４９】
このものの器具本体２は、器体３１の両側それぞれに配設されているセンサ部５を設けるための基台３６が、図２０に示すように、後方に固定片３６ｇの折曲形成された前板３６ｄを有して、この前板３６ｄが前後にスライド自在でねじ固定可能となっている。すなわち、この前板３６ｄにセンサ部５が固着されるようになっているので、センサ部５は、透光カバー部７が器具本体２に装着されるのと併せて、固定具８を介して基台３６上面のねじ孔３６ａにねじ固定され器具本体２の所定位置に固定されることとなる。
【００５０】
したがって、以上説明した照明器具１によると、壁、天井等の取付面に設けられるその長手方向位置にセンサ部５を有した長尺状の器具本体２、及びその器具本体２を覆う断面略コ字状をなした透光カバー部７の両者は、透光カバー部７が同器具本体２へ装着された後、センサ部５がねじ等の固定具８を介して器具本体２の所定位置に装着され固定されるので、簡単な構成において外観の体裁を損ねることなく、透光カバー部７を前面の小開口７１ａからセンサ部５を突出させて器具本体２へ装着させやすくできる。
【００５１】
［参考形態（以下、便宜上「第５の実施の形態」とする）］
図２１は、第５の実施形態の、照明器具の概略構成を示す説明図である。
【００５２】
この実施の形態の照明器具は、係合構造を設けることなく、センサ部を設ける構成のみを第１の実施の形態と異なるようにしたもので、他の構成部材は第１の実施形態のものと同一で、該実施の形態の照明器具１は、上記センサ部５を、前記器具本体２及び透光カバー部７の短手方向の下側に偏って設けている。
【００５３】
すなわち、このもののセンサ部５は、図２１（ａ）乃至（ｃ）の何れも、透光カバー部７を支持する器具本体２上縁から離れた位置において透光カバー部７の前面側に小開口７１ａからそのセンサ部を突出させ、器具本体２を透光カバー部７にて覆うようにしてある。これにより、壁、天井等の取付面に設けられる、センサ部５がその長手方向位置の短手方向下側に偏って配設された長尺状の器具本体２に、断面略コ字状をなした透光カバー部７がその前面側の小開口７１ａから該センサ部５を突出させてその器具本体２を覆うようにして固定されることとなり、センサ部５の小開口７１ａへの挿通されるときの軌跡が比較的直線に近くなって（図２１（ｃ）参照）、小開口７１ａとセンサ部５との隙間を比較的小さくさせて外観の体裁を損ねることなく、長尺の透光カバー部７が器具本体２へ装着させることができる。
【００５４】
なお、本発明は、上記に示されたものに限定されるものでなく、勿論、上記構成を組み合わせて形成したもの等、各種実施形態のものを含むことは言うまでもない。
【００５５】
【発明の効果】
本発明は、上述の実施態様の如く実施されて、請求項１、４記載の照明器具にあっては、外観の体裁を損ねることなく、透光カバー部を前面の小開口からセンサ部を突出させて器具本体へ装着させやすくできる。
【００５６】
また、請求項２記載の照明器具にあっては、長尺状器具本体、及びその器具本体を覆う断面略コ字状をなした透光カバー部の両者が、長手方向の縁部に形成された係合構造にて、その一方を長手方向の軸中心に回転させたときには離脱せず、前後方向に平行移動させたときには両者を離脱可能とされるので、光源の取り替え等をおこなう作業者が、判りにくいと感じること無く、小開口とセンサ部との隙間を最小限まで小さくして外観の体裁を損ねることなく構成できる。
【００５７】
また、請求項３記載の照明器具にあっては、長尺状器具本体、及びその器具本体を覆う断面略コ字状をなした透光カバー部の両者が、長手方向の縁部に形成された係合構造にて、その一方を前後方向に平行移動させたときには離脱せず、長手方向の軸中心に回転させたときには両者を離脱可能とされるので、光源の取り替え等をおこなう作業者が、判りにくいと感じること無く、小開口とセンサ部との隙間を最小限まで小さくして外観の体裁を損ねることなく構成できる。
【００５８】
また、請求項５、６記載の照明器具にあっては、透光カバー部は、カバー片の小開口へセンサ部が挿通されてカバー片が変位、あるいは弾性変位され、器具本体へ装着されるので、固定具等を設けることなくより簡単な構成にて形成可能である。
【００５９】
また、請求項７記載の照明器具にあっては、壁、天井等の取付面に設けられるその長手方向位置にセンサ部を有した長尺状の器具本体、及びその器具本体を覆う断面略コ字状をなした透光カバー部の両者は、透光カバー部が同器具本体へ装着された後、センサ部がねじ等の固定具を介して器具本体の所定位置に装着され固定されるので、簡単な構成において外観の体裁を損ねることなく、透光カバー部を前面の小開口からセンサ部を突出させて器具本体へ装着させやすくできる。
【図面の簡単な説明】
【図１】本発明の、第１の実施形態の、照明器具の概略構成を示す側面断面図である。
【図２】同照明器具の概略構成を示す分解斜視図である。
【図３】同照明器具の係合構造を示す部分図である。
【図４】同照明器具の係合構造の作用を示す説明図である。
【図５】同照明器具の他実施例を示す説明図である。
【図６】同照明器具の係合構造を示す部分斜視図である。
【図７】同照明器具の更なる他実施例の概略構成を示す側面断面図である。
【図８】第２の実施形態の、照明器具の概略構成を示す側面断面図である。
【図９】同照明器具の係合構造を示す部分図である。
【図１０】同照明器具の係合構造の作用を示す説明図である。
【図１１】同照明器具の他実施例を示す説明図である。
【図１２】同照明器具の係合構造を示す部分斜視図である。
【図１３】同照明器具の更なる他実施例の概略構成を示す側面断面図である。
【図１４】第３の実施形態の、照明器具の概略構成を示す分解斜視図である。
【図１５】同照明器具の係合構造の作用を示す説明図である。
【図１６】同照明器具の他実施例を示す説明図である。
【図１７】同照明器具の他の説明図である。
【図１８】同照明器具の更なる他実施例を示す部分斜視図である。
【図１９】同照明器具の作用を示す側面断面図である。
【図２０】第４の実施形態の、照明器具の概略構成を示す分解斜視図である。
【図２１】第５の実施形態の、照明器具の概略構成を示す説明図である。
【図２２】本発明の従来例である照明器具の概略構成を示す分解斜視図である。
【図２３】同照明器具の係合構造の作用を示す説明図である。
【符号の説明】
１    照明器具
２    器具本体
５    センサ部
７    透光カバー部
７１ａ  小開口
Ａ，Ｄ    係合構造
【図１】
0004506055.tif 000002
【図２】
0004506055.tif 000003
【図３】
0004506055.tif 000004
【図４】
0004506055.tif 000005
【図５】
0004506055.tif 000006
【図６】
0004506055.tif 000007
【図７】
0004506055.tif 000008
【図８】
0004506055.tif 000009
【図９】
0004506055.tif 000010
【図１０】
0004506055.tif 000011
【図１１】
0004506055.tif 000012
【図１２】
0004506055.tif 000013
【図１３】
0004506055.tif 000014
【図１４】
0004506055.tif 000015
【図１５】
0004506055.tif 000016
【図１６】
0004506055.tif 000017
【図１７】
0004506055.tif 000018
【図１８】
0004506055.tif 000019
【図１９】
0004506055.tif 000020
【図２０】
0004506055.tif 000021
【図２１】
0004506055.tif 000022
【図２２】
0004506055.tif 000023
【図２３】
0004506055.tif 000024